(57)【要約】  【課題】管理者がデジタルコンテンツを更新する際に、デジタルコンテンツの内容に応じて適切なＥＣサイトへのリンク情報を生成することを可能とする。  【解決手段】複数の管理者によって作成された複数のデジタルコンテンツを記録する第１の外部サーバ上において更新されるデジタルコンテンツを管理するデジタルコンテンツ管理部とデジタルコンテンツに記された所定の単語をキーワードとして記録し、キーワードと関連性のある単語を関連用語として記録するデータベースと、ページが含む文字情報の中にキーワード又は関連用語が含まれていた際に、キーワード又は関連用語と関連性がある商品の購買を取り扱う第２の外部サーバへページを遷移させるためのリンク情報を作成し、ページにリンク情報を埋め込むリンク情報作成部とを備える。【選択図】図１
2014157403.tif 000002
【特許請求の範囲】
【請求項１】
複数の管理者によって作成された複数のデジタルコンテンツを記録する第１の外部サーバ上において更新されるデジタルコンテンツを管理するデジタルコンテンツ管理部と、
前記デジタルコンテンツに記された所定の単語をキーワードとして記録し、前記キーワードと関連性のある単語を関連用語として記録するデータベースと、
前記デジタルコンテンツが有するページの更新をページ単位で受け付ける更新受付部と、
前記更新受付部が更新を受け付けた際に、前記ページが含む文字情報を抽出し、該文字情報の中に前記データベースが記録した前記キーワード又は前記関連用語が含まれているか解析する文字情報解析部と、
前記ページが含む前記文字情報の中に前記キーワード又は前記関連用語が含まれていた際に、前記キーワード又は前記関連用語と関連性がある商品の購買を取り扱う第２の外部サーバへページを遷移させるためのリンク情報を作成し、前記ページに前記リンク情報を埋め込むリンク情報作成部とを備えるデジタルコンテンツ管理システム。
【請求項２】
前記デジタルコンテンツ管理システムは、更に、
前記ページ上に含まれる画像情報に前記商品が含まれているかを解析する画像解析部を備え、
前記リンク情報作成部は、前記画像情報に前記商品が含まれている際に、前記第２の外部サーバ上で取り扱う商品の画像を該画像情報に類似する画像である候補画像として抽出することを特徴とする請求項１記載のデジタルコンテンツ管理システム。
【請求項３】
前記データベースは、
前記キーワードの略称、俗称または通称を関連用語として記録することを特徴とする請求項１または２記載のデジタルコンテンツ管理システム。
【請求項４】
コンピュータが、
複数の管理者によって作成された複数のデジタルコンテンツを記録する第１の外部サーバ上において更新されるデジタルコンテンツを管理するステップと
前記デジタルコンテンツに記された所定の単語をキーワードとして記録し、前記キーワードと関連性のある単語を関連用語として記録するステップと、
前記デジタルコンテンツが有するページの更新をページ単位で受け付けるステップと、
前記更新を受け付けた際に、前記ページが含む文字情報を抽出し、該文字情報の中に前記記録した前記キーワード又は前記関連用語が含まれているか解析するステップと、
前記ページが含む前記文字情報の中に前記キーワード又は前記関連用語が含まれていた際に、前記キーワード又は前記関連用語と関連性がある商品の購買を取り扱う第２の外部サーバへページを遷移させるためのリンク情報を作成し、前記ページに前記リンク情報を埋め込むステップとを実現するデジタルコンテンツ管理方法。
【請求項５】
コンピュータに、
複数の管理者によって作成された複数のデジタルコンテンツを記録する第１の外部サーバ上において更新されるデジタルコンテンツを管理する機能と
前記デジタルコンテンツに記された所定の単語をキーワードとして記録し、前記キーワードと関連性のある単語を関連用語として記録する機能と、
前記デジタルコンテンツが有するページの更新をページ単位で受け付ける機能と、
前記更新を受け付けた際に、前記ページが含む文字情報を抽出し、該文字情報の中に前記記録した前記キーワード又は前記関連用語が含まれているか解析する機能と、
前記ページが含む前記文字情報の中に前記キーワード又は前記関連用語が含まれていた際に、前記キーワード又は前記関連用語と関連性がある商品の購買を取り扱う第２の外部サーバへページを遷移させるためのリンク情報を作成し、前記ページに前記リンク情報を埋め込む機能とを実現させるデジタルコンテンツ管理プログラム。
【発明の詳細な説明】
【技術分野】
【０００１】
本発明は、デジタルコンテンツ管理システムおよびデジタルコンテンツ管理方法並びにデジタルコンテンツ管理プログラムに関するものであって、特に外部サーバとのリンクを作成するためのデジタルコンテンツ管理システムおよびデジタルコンテンツ管理方法並びにデジタルコンテンツ管理プログラムに関するものである。
【背景技術】
【０００２】
近年、ＥＣ（Ｅｌｅｃｔｒｏｎｉｃ  ｃｏｍｍｅｒｃｅ）サイト等を用いたインターネットによる通信販売が一般化している。これに伴い、このようなＥＣサイトの広告掲載の手法として、ＷＥＢページにＥＣサイトへのリンク機能を有する広告を掲載し、この広告をクリックすることで、ＥＣサイトへと接続を遷移させるようにする手法が普及している。このとき、経由したＷＥＢページの運営者には、成功報酬（アフィリエイト）が支払われることで、広告の掲載を促進させる、というビジネスモデルが浸透し始めている。
【０００３】
しかし、この手法では、アフィリエイト対象の商品に更新があった場合、リンクが貼られたＷＥＢサイトのページを併せて更新せねばならず、ＷＥＢサイトの運営者側の負担が大きいという問題があった。
【０００４】
特許文献１には、ネットワークを介してページ閲覧者端末装置およびページ運営者端末装置に接続され、該ページ閲覧者端末装置からのページを表示するための要求に応じて、該ページに設定されたアフィリエイト対象を加えたページを生成するページ生成手段と、該生成されたページを該ページ閲覧者端末装置に送信するページ提供手段とを備えるＷＥＢサーバについて開示されている。
【先行技術文献】
【特許文献】
【０００５】
【特許文献１】特開２００９−５８９８７号公報
【発明の概要】
【発明が解決しようとする課題】
【０００６】
しかし、特許文献１に開示されているシステムでは、アフィリエイト対象の商品に更新があった場合には対応可能だが、ＷＥＢサイト側で更新があった場合、ＷＥＢサイトの運営者が再度リンクを作成しなければならなかった。そのため、複数の管理者によって更新されるブログ等のデジタルコンテンツを扱うＷＥＢサイトを運営する場合、各デジタルコンテンツの管理者がリンク付を行う必要があり、運営者側の負担が大きかった。また、各デジタルコンテンツの管理者がリンクを張らなければ、ＷＥＢサイトの運営者がアフィリエイトを受けることができなかった。
【０００７】
そこで、本発明は、上記事情に鑑み、管理者がデジタルコンテンツを更新する際に、デジタルコンテンツの内容に応じて適切な外部のサーバへのリンク情報を生成することを可能とするデジタルコンテンツ管理システムおよびデジタルコンテンツ管理方法並びにデジタルコンテンツ管理プログラムを提供することを目的とする。
【課題を解決するための手段】
【０００８】
本発明に係るデジタルコンテンツ管理システムは、複数の管理者によって作成された複数のデジタルコンテンツを記録する第１の外部サーバ上において更新されるデジタルコンテンツを管理するデジタルコンテンツ管理部と、デジタルコンテンツに記された所定の単語をキーワードとして記録し、キーワードと関連性のある単語を関連用語として記録するデータベースと、デジタルコンテンツが有するページの更新をページ単位で受け付ける更新受付部と、更新受付部が更新を受け付けた際に、ページが含む文字情報を抽出し、該文字情報の中にデータベースが記録したキーワード又は関連用語が含まれているか解析する文字情報解析部と、ページが含む文字情報の中にキーワード又は関連用語が含まれていた際に、キーワード又は関連用語と関連性がある商品の購買を取り扱う第２の外部サーバへページを遷移させるためのリンク情報を作成し、ページにリンク情報を埋め込むリンク情報作成部とを備える。
【０００９】
また、本発明に係るデジタルコンテンツ管理システムは、更に、ページ上に含まれる画像情報に商品が含まれているかを解析する画像解析部を備え、リンク情報作成部は、画像情報に商品が含まれている際に、第２の外部サーバ上で取り扱う商品の画像を該画像情報に類似する画像である候補画像として抽出するものとしてもよい。
【００１０】
「デジタルコンテンツ」は、デジタルデータで表現された文章、音楽、画像、映像、またはそれらを組み合わせた情報の集合のことをいう。それらを再生するためのソフトウェアや、電子書籍・電子雑誌・ブログ・ホームページ等を含んでもよい。また、デジタルコンテンツは複数のページから構成されるものとしてもよい。例えばデジタルコンテンツがブログである場合、デジタルコンテンツは複数の記事（ページ）から構成されるものであってもよい。
【００１１】
「第１の外部サーバ」は、ストレージ装置を備えたサーバ装置をいう。本発明に係るデジタルコンテンツ管理システムに含まれない装置を指し、ＷＥＢサイトに含まれるものであってもよい。また、第１の外部サーバは、ＷＥＢサイトで運営されるデジタルコンテンツを記録していてもよい。
【００１２】
「デジタルコンテンツ管理部」は、デジタルコンテンツを管理するものをいう。デジタルコンテンツ管理部は、デジタルコンテンツ管理システム上に記録されたデジタルコンテンツを管理するものとしてもよいし、外部サーバ上に記録されたデジタルコンテンツを管理し、クライアント端末へ配信するものとしてもよい。
【００１３】
「クライアント端末」は、利用者がデジタルコンテンツを閲覧するための端末をいう。クライアント端末は、携帯電話やスマートフォン等のクライアント端末、ＰＣを指してもよい。また、セットトップボックスを接続したテレビや、インターネット接続可能なテレビその他のデジタル家電をクライアント端末としてもよい。
【００１４】
「データベース」は、キーワード等を記録するものをいう。データベースは、サーバに内蔵されるハードディスクや、外付けハードディスクとしてもよい。具体的には、データベースは、デジタルコンテンツ上に含まれる単語、例えば特定のブランド名やモデルの名称をキーワードとして記録するものであってもよい。また、データベースは、キーワードの略称、俗称または通称を関連用語として記録するものとしてもよい。例えば、データベースは、ブランド名の略称やモデルの通称やあだ名を関連用語として記録してもよい。
【００１５】
「キーワード」は、デジタルコンテンツ上に表示される所定の単語をいう。例えば、ブランド名やモデル名、地域の名称、商品の名称のことをいってもよい。
【００１６】
「関連用語」は、キーワードの通称や俗称、略称をいう。また、関連用語は、キーワードと関わりの深い単語を指してもよい。例えば、キーワードがモデルの名称であった場合、関連用語は、そのモデルの略称やあだ名、所属事務所を指してもよい。
【００１７】
「更新受付部」は、デジタルコンテンツの更新を受け付けるものをいう。更新受付部は、デジタルコンテンツの更新をページ単位で受け付けるものとしてもよい。
【００１８】
「文字情報解析部」は、文字情報に含まれる情報を解析するものをいう。文字情報解析部は、文字情報に含まれるキーワード又は関連用語を解析するものとしてもよい。また、その際にページが含む文字情報を抽出するものとしてもよい。
【００１９】
「文字情報」は、複数の単語からなる文字であらわされたものをいう。ブログやホームページの記事を指してもよい。
【００２０】
「画像解析部」は、画像情報を解析するものをいう。画像情報の中に商品に関する情報が含まれているか解析するものとしてもよい。
【００２１】
「第２の外部サーバ」は、ストレージ装置を備えたサーバ装置をいう。第２の外部サーバは、本発明に係るデジタルコンテンツ管理システムに含まれない装置を指し、ネット通販等のＥＣ（Ｅｌｅｃｔｒｏｎｉｃ  ｃｏｍｍｅｒｃｅ：電子商取引）サイトに含まれるものであってもよい。また、第２の外部サーバは、ＥＣサイトの商品に関する画像情報が記録していてもよい。
【００２２】
「リンク情報作成部」は、利用者が閲覧中のページを所定のアドレスを有するＷＥＢページへ遷移させるための情報をする作成するものをいう。リンク情報生成部は、利用者が閲覧中のページと関連する商品を扱うＥＣサイトへと画面遷移させるための情報を該ページ内に埋め込むものとしてもよい。例えば、ＥＣサイトＡはブランド１、ブランド２、ブランド３の商品を取り扱い、また、ＥＣサイトＢはブランド３、ブランド４、ブランド５の商品を取り扱うものであるとする。このとき、ページ内にブランド１やブランド１の商品についての記載があった場合、リンク情報作成部は、ＥＣサイトＡへのリンク情報をそのページに埋め込むものとしてもよい。
【００２３】
また、リンク情報作成部は、ページ内に商品に関する画像情報が含まれていた際に、第２の外部サーバ上に記録される商品画像を、ページ内に含まれる商品に関する画像に類似する画像として抽出するものとしてもよい。例えば、ページ内にブランド１のカバンａの画像が写っていたとする。このとき、リンク情報作成部は、ＥＣサイトＡ上に記録されたブランド１のカバンａの画像およびカバンａに類似するカバンの画像を候補画像として抽出するものとしてもよい。
【００２４】
また、本発明に係るデジタルコンテンツ管理方法は、コンピュータが、複数の管理者によって作成された複数のデジタルコンテンツを記録する第１の外部サーバ上において更新されるデジタルコンテンツを管理するステップと、デジタルコンテンツに記された所定の単語をキーワードとして記録し、キーワードと関連性のある単語を関連用語として記録するステップと、デジタルコンテンツが有するページの更新をページ単位で受け付けるステップと、更新を受け付けた際に、ページが含む文字情報を抽出し、該文字情報の中に記録したキーワード又は関連用語が含まれているか解析するステップと、ページが含む文字情報の中にキーワード又は関連用語が含まれていた際に、キーワード又は関連用語と関連性がある商品の購買を取り扱う第２の外部サーバへページを遷移させるためのリンク情報を作成し、ページにリンク情報を埋め込むステップとを実現する。
【００２５】
また、本発明に係るデジタルコンテンツ管理プログラムは、複数の管理者によって作成された複数のデジタルコンテンツを記録する第１の外部サーバ上において更新されるデジタルコンテンツを管理する機能と、デジタルコンテンツに記された所定の単語をキーワードとして記録し、キーワードと関連性のある単語を関連用語として記録する機能と、デジタルコンテンツが有するページの更新をページ単位で受け付ける機能と、更新を受け付けた際に、ページが含む文字情報を抽出し、該文字情報の中に記録したキーワード又は関連用語が含まれているか解析する機能と、ページが含む文字情報の中にキーワード又は関連用語が含まれていた際に、キーワード又は関連用語と関連性がある商品の購買を取り扱う第２の外部サーバへページを遷移させるためのリンク情報を作成し、ページにリンク情報を埋め込む機能とを実現させる。
【発明の効果】
【００２６】
本発明に係るデジタルコンテンツ管理システムは、複数の管理者によって作成された複数のデジタルコンテンツを記録する第１の外部サーバ上において更新されるデジタルコンテンツを管理し、ページが含む文字情報の中にキーワード又は関連用語が含まれていた際に、キーワード又は関連用語と関連性がある商品の購買を取り扱う第２の外部サーバへページを遷移させるためのリンク情報を作成し、ページにリンク情報を埋め込むリンク情報作成部とを備える際には、管理者がデジタルコンテンツを更新する際に、デジタルコンテンツの内容に応じて適切な外部サーバへのリンク情報を生成することが可能となり、複数の管理者によって更新されるブログ等のデジタルコンテンツを扱うＷＥＢサイトを運営する場合でも、各デジタルコンテンツの管理者がリンク付けを行う必要がなく、運営者側の負担を低減することが可能となる。
【００２７】
また、本発明に係るデジタルコンテンツ管理システムは、更に、ページ上に含まれる画像情報に商品が含まれているかを解析する画像解析部を備え、リンク情報作成部は、画像情報に商品が含まれている際に、第２の外部サーバ上で取り扱う商品の画像を該画像情報に類似する画像である候補画像として抽出する際においては、画像情報に含まれる、画像情報の商品を解析し、該ブランドを取り扱う外部サーバ（例えばＥＣサイト等）を特定し、問い合わせを行うことが可能となり、画像情報の特徴から、商品の候補画像を抽出することが可能となる。
【００２８】
また、本発明に係るデータベースが、キーワードの略称、俗称または通称を関連用語として記録する際においては、デジタルコンテンツ内にブランド名等の略称等が含まれた場合でも、リンクするＥＣサイトを適切に選択することが可能となる。
【図面の簡単な説明】
【００２９】
【図１】本発明の第１の実施形態に係るデジタルコンテンツ管理システムのブロック図
【図２】本発明の第１の実施形態に係るデジタルコンテンツ管理システムの処理の概要図
【図３】本発明の第１の実施形態に係るデジタルコンテンツ管理システムの処理の流れを示すフローチャート
【図４】本発明の第１の実施形態に係るデジタルコンテンツ管理システムの生成する閲覧画面の模式図
【図５】本発明の第１の実施形態に係るデジタルコンテンツ管理システムの生成する更新一覧画面の模式図
【図６】本発明の第２の実施形態に係るデジタルコンテンツ管理システムのブロック図
【図７】本発明の第２の実施形態に係るデジタルコンテンツ管理システムの処理を示すフローチャート
【図８】本発明の第２の実施形態に係るデジタルコンテンツ管理システムが生成する候補画像のイメージ図
【図９】本発明の第３の実施形態に係るデジタルコンテンツ表示システムおよび外部システムのブロック図
【図１０】本発明の第３の実施形態に係るデジタルコンテンツ表示システムの処理を示すフローチャート
【図１１】本発明のソフトウェアが携帯端末に表示する画面のイメージ図
【図１２】本発明のソフトウェアが携帯端末に表示する画面のイメージ図
【図１３】本発明の第３の実施形態に係るデジタルコンテンツ表示システムの推奨処理を示すフローチャート
【図１４】本発明の第３の実施形態に係るコンテンツデータベースにおけるカテゴリとソースの対応関係を示す模式図
【図１５】本発明の第３の実施形態に係るコンテンツデータベースにおけるカテゴリとソースの対応関係を示す模式図
【図１６】本発明の第３の実施形態に係るコンテンツデータベースにおけるカテゴリとソースの対応関係を示す模式図
【図１７】本発明の第３の実施形態に係るコンテンツデータベースにおけるカテゴリとソースの対応関係を示す模式図
【発明を実施するための形態】
【００３０】
［第１の実施形態］
以下、本発明の第１の実施の形態を図１乃至図５を用いて説明する。
【００３１】
本実施形態におけるデジタルコンテンツ管理システム１００は、複数の管理者によって作成された複数のデジタルコンテンツを記録する第１の外部サーバ３００上において更新されるデジタルコンテンツを管理するデジタルコンテンツ管理部１１１と、デジタルコンテンツに記された所定の単語をキーワードとして記録し、キーワードと関連性のある単語を関連用語として記録するデータベース１０１と、デジタルコンテンツが有するページの更新をページ単位で受け付ける更新受付部１１２と、更新受付部１１２が更新を受け付けた際に、ページが含む文字情報を抽出し、該文字情報の中にデータベース１０１が記録したキーワード又は関連用語が含まれているか解析する文字情報解析部１１３と、ページが含む文字情報の中にキーワード又は関連用語が含まれていた際に、キーワード又は関連用語と関連性がある商品の購買を取り扱う第２の外部サーバ４００へページを遷移させるためのリンク情報を作成し、ページにリンク情報を埋め込むリンク情報作成部１１４とを備える。
【００３２】
デジタルコンテンツ管理システム１００は、コンピュータまたはサーバを備え、各種入力に基づきＣＰＵがＲＡＭやハードディスクに記録されたプログラムを実行することで、各種機能部として動作する。該プログラムは、ＣＤ−ＲＯＭ等の記憶媒体に記憶され、もしくはインターネット等のネットワーク８００を介して配布され、コンピュータにインストールされるものであってもよい。
【００３３】
本実施形態に係るデジタルコンテンツ管理システム１００は、複数の管理者によって更新されるブログ等のデジタルコンテンツを扱うＷＥＢサイトを管理・運営する。このとき、ブログ等の管理者が紹介した商品を、利用者が購入した場合、運営者にアフィリエイトが入るよう、デジタルコンテンツ管理システム１００は、ＷＥＢサイト側で、アフィリエイト対象商品についてリンク情報を生成するものである。
【００３４】
デジタルコンテンツは、デジタルデータで表現された文章、音楽、画像、映像、またはそれらを組み合わせた情報の集合のことをいう。それらを再生するためのソフトウェアや、電子書籍・電子雑誌・ブログ・ホームページ等を含んでもよい。また、デジタルコンテンツは複数のページから構成されるものとしてもよい。例えばデジタルコンテンツがブログである場合、デジタルコンテンツは複数の記事（ページ）から構成されるものであってもよい。
【００３５】
図１を用いてデジタルコンテンツ管理システム１００を構成する各機能について説明する。図１は、本実施形態に係るデジタルコンテンツ管理システム１００および連携するシステムのブロック図である。
【００３６】
デジタルコンテンツ管理システム１００は、デジタルコンテンツ管理部１１１と、更新受付部１１２と、文字情報解析部１１３と、リンク情報作成部１１４と、データベース１０１とを備えている。
【００３７】
デジタルコンテンツ管理部１１１は、デジタルコンテンツを管理する。本実施形態では、第１の外部サーバ３００上に記録されたデジタルコンテンツを管理し、クライアント端末２００へ配信する。デジタルコンテンツ管理部１１１は、デジタルコンテンツ管理システム１００上に記録されたデジタルコンテンツを管理するものとしてもよい。
【００３８】
データベース１０１は、キーワード等を記録する。データベース１０１は、キーワード等をサーバに内蔵されるハードディスクや、外付けハードディスク上に記録するものとしてもよい。具体的には、データベース１０１は、デジタルコンテンツ上に含まれる単語、例えば特定のブランド名やモデルの名称をキーワードとして記録する。また、データベース１０１は、キーワードの略称、俗称または通称を関連用語として記録することも可能である。例えば、データベース１０１は、ブランド名の略称やモデルの通称やあだ名を関連用語として記録してもよい。
【００３９】
更新受付部１１２は、デジタルコンテンツの更新を受け付ける。更新受付部１１２は、デジタルコンテンツの更新をページ単位で受け付ける。
【００４０】
文字情報解析部１１３は、文字情報に含まれる情報を解析する。文字情報解析部１１３は、文字情報に含まれるキーワード又は関連用語を解析するものとしてもよい。また、その際にページが含む文字情報を抽出することも可能である。
【００４１】
文字情報は、複数の単語からなる文字であらわされたものをいう。ブログやホームページの記事を指してもよい。
【００４２】
リンク情報作成部１１４は、利用者が閲覧中のページを所定のアドレスを有するＷＥＢページへ遷移させるための情報をする作成する。リンク情報生成部は、利用者が閲覧中の画面に表示されるページと関連する商品を扱うＥＣサイトへと画面を遷移させるための情報を該ページ内に埋め込む。例えば、ＥＣサイトＡはブランド１、ブランド２、ブランド３の商品を取り扱い、また、ＥＣサイトＢはブランド３、ブランド４、ブランド５の商品を取り扱うものであるとする。このとき、ページ内にブランド１やブランド１の商品についての記載があった場合、リンク情報作成部１１４は、ＥＣサイトＡへのリンク情報をそのページに埋め込む。
【００４３】
また、図１に示すように、デジタルコンテンツ管理システム１００は、有線または無線のネットワーク８００を介してクライアント端末２００と、第１の外部サーバ３００と、第２の外部サーバ４００と接続している。
【００４４】
クライアント端末２００は、利用者がデジタルコンテンツを閲覧するための端末をいう。クライアント端末２００は、携帯電話やスマートフォン等のクライアント端末２００、ＰＣを指してもよい。また、セットトップボックスを接続したテレビや、インターネット接続可能なテレビその他のデジタル家電をクライアント端末２００としてもよい。本実施形態では、クライアント端末２００は、タッチパネル機能付きのディスプレイを有した携帯電話をいう。タブレット型ＰＣ、ＰＤＡ等のことを指してもよい。本実施形態において、クライアント端末２００は、画面表示部２５１と、指示部２５３と、アクセス要求部２５２を備える。
【００４５】
画面表示部２５１は、ソフトウェアからの指示に応じてクライアント端末２００に表示を行うディスプレイをいう。また、アクセス要求部２５２は、デジタルコンテンツ管理システム１００に対して、ＷＥＢサイトへのアクセス要求を送信する。更に、指示部２５３は、タッチパネルから利用者の入力を受け付ける。マウスやキーボードを備えるものとしてもよい。
【００４６】
第１の外部サーバ３００は、デジタルコンテンツ管理システム１００に含まれないサーバ装置をいい、本実施形態では、ＷＥＢサイトに含まれるサーバを指す。また、第１の外部サーバ３００上には、ＷＥＢサイトで運営されるデジタルコンテンツが記録されている。
【００４７】
第２の外部サーバ４００は、デジタルコンテンツ管理システム１００に含まれないサーバ装置をいう。本実施形態では、ネット通販等のＥＣ（Ｅｌｅｃｔｒｏｎｉｃ  ｃｏｍｍｅｒｃｅ：電子商取引）サイトに含まれるサーバである。また、第２の外部サーバ４００上には、ＥＣサイトの商品に関する画像情報が記録されている。
【００４８】
次に、図２を用いてデジタルコンテンツ管理システム１００およびクライアント端末２００の処理の概要を簡単に説明する。
【００４９】
まず、クライアント端末２００はデジタルコンテンツ管理システム１００にネットワーク８００経由で接続を行う（ＳＴＥＰ１）。利用者はデジタルコンテンツ管理システム１００を利用する際に、専用のソフトウェアを事前にインストールする必要がある。デジタルコンテンツ管理システム１００から、クライアント端末２００に対してソフトウェアが配布されると（ＳＴＥＰ２）、クライアント端末２００は、該ソフトウェアをインストールする（ＳＴＥＰ３）。利用者はクライアント端末２００にインストールされたソフトウェアを起動して、ブログの閲覧を行う（ＳＴＥＰ４）。利用者が操作するクライアント端末２００から、ブログへのアクセス要求を受信したデジタルコンテンツ管理システム１００は、第１の外部サーバ３００へと受信要求をする（ＳＴＥＰ５）。
【００５０】
デジタルコンテンツ管理システム１００は、取得したページ内の文字情報を解析し（ＳＴＥＰ６）、データベース１０１に登録されたキーワードが含まれていた場合（ＳＴＥＰ７）、リンク情報をそのページに作成する（ＳＴＥＰ８）。デジタルコンテンツ管理システム１００は、リンク情報を埋め込んだブログのページをクライアント端末２００に対して提供する（ＳＴＥＰ９）。利用者はクライアント端末２００上で提供されたブログのページを閲覧し、ブログで紹介されている商品に気に入った商品があった場合、ブログのページからその商品を扱う第２の外部サーバ４００へと画面遷移する（ＳＴＥＰ１０）。
【００５１】
図３を用いて、デジタルコンテンツ管理システム１００の処理フローを詳細に説明する。図３はデジタルコンテンツ管理システム１００の処理の流れを示すフローチャートである。
【００５２】
デジタルコンテンツ管理システム１００は、第１の外部サーバ３００と連携し、第１の外部サーバ３００上で更新されるデジタルコンテンツを管理している。第１の外部サーバ３００の運営者はデジタルコンテンツ管理システム１００を利用して第１の外部サーバ３００上のブログ等のデジタルコンテンツを以下の処理により管理することが可能である。
【００５３】
運営者は、まず、第１の外部サーバ３００上のブログと関係があるブランドやモデル、商品の名称や略称、通称をキーワードおよび関連用語として、データベース１０１に登録しておく（ＳＴＥＰ０１１）。キーワードは、デジタルコンテンツ上に表示される所定の単語をいう。例えば、ブランド名やモデル名、地域の名称、商品の名称のことをいう。関連用語は、キーワードの通称や俗称、略称をいう。また、関連用語は、キーワードと関わりの深い単語を指してもよい。例えば、キーワードがモデルの名称であった場合、関連用語は、そのモデルの略称やあだ名、所属事務所を指してもよい。
【００５４】
キーワードと関連用語はデータベース１０１において、紐づけられて記録される。データベース１０１では、例えばブランドの名称が登録される際に、そのブランドを扱う第２の外部サーバ４００のＵＲＬ（Ｕｎｉｆｏｒｍ Ｒｅｓｏｕｒｃｅ Ｌｏｃａｔｏｒ）を対応づけて保存しておく。
【００５５】
デジタルコンテンツ管理システム１００を利用して上記第１の外部サーバ３００のブログを閲覧する利用者は、事前に閲覧用のソフトウェアをインストールしておく。デジタルコンテンツ管理部１１１は、第１の外部サーバ３００上で運営されるブログを集約して管理し、利用者がインストールしたソフトウェアに対して配信する（ＳＴＥＰ０１２）。このときデジタルコンテンツ管理部１１１は、データベース１０１に各ブログのＵＲＬおよびページの更新日時を記録し、あわせて管理する。
【００５６】
第１の外部サーバ３００上で運営されるブログの管理者（モデルやショップの店員等）が、ブログを更新した場合には（ＳＴＥＰ０１３）、更新受付部１１２が更新をページ単位で受け付ける（ＳＴＥＰ０１４）。このとき、更新を受け付けたページは、デジタルコンテンツ管理部１１１により再度利用者のソフトウェアに配布されることになる。そのため、更新受付部１１２は、更新を受け付けた際に、デジタルコンテンツ管理部１１１に更新情報を送信し、どのページの再送が必要かを指示する。この再送処理は、利用者からの再送要求があった場合に行うものとしてもよい。
【００５７】
また、このときデジタルコンテンツ管理部１１１は更新があったページの更新日時をデータベース１０１上で更新する。また、更新受付部１１２は、更新があった際に、図４に示す画面を運営者に提示することも可能である。図４は、更新があったページを第１の外部サーバ３００の運営者に知らせる更新一覧画面である。運営者は、更新一覧画面から更新があったページのうち、キーワードを含むページを確認し、データベース１０１に記録された第２の外部サーバ４００のＵＲＬから、ページと関係のある商品画像を特定して紐づけし直すことも可能である。
【００５８】
図３に戻り、処理の続きを説明する。更新受付部１１２が更新を受け付けた際に、文字情報解析部１１３は、更新したページを解析する（ＳＴＥＰ１５）。文字情報解析部１１３は、データベース１０１に記録されたキーワードがページ内に含まれるかどうかを解析し、解析結果をリンク情報作成部１１４に通知する。具体的には、データベース１０１上の各ＵＲＬに対してキーワードを含む更新があった旨を示すフラグを立て、含まれていたキーワードに対応する第２の外部サーバ４００のＵＲＬをデータベース１０１に問い合わせ、併せて記録する。また、このときページ内に含まれる、上述したキーワードおよび関連用語以外の単語を上記第２の外部サーバ４００に紐づくものとして記録することで、紐づけの精度を向上させることも可能である。
【００５９】
リンク情報作成部１１４は、適宜データベース１０１を確認し、フラグが立ったページがあった際には、記録されているＵＲＬを該ページに埋め込んでリンク情報を作成する（ＳＴＥＰ０１７）。
【００６０】
図５（ａ）は、ソフトウェアに表示されるブログ閲覧画面のイメージ図である。利用者が、興味のある商品画像を選択するとリンク情報作成部１１４が埋め込んだリンク情報により、その商品を扱う第２の外部サーバ４００へと接続することが可能となる。図５の（ｂ）は、接続した第２の外部サーバ４００の商品購入画面である。この画面で利用者が商品を購入すると、第１の外部サーバ３００の運営者にアフィリエイトが入ることになる。
【００６１】
［第２の実施形態］
以下、本発明の第２の実施の形態を図６乃至図８を用いて説明する。
【００６２】
本実施形態におけるデジタルコンテンツ管理システム１００は、複数の管理者によって作成された複数のデジタルコンテンツを記録する第１の外部サーバ３００上において更新されるデジタルコンテンツを管理するデジタルコンテンツ管理部１１１と、デジタルコンテンツに記された所定の単語をキーワードとして記録し、キーワードと関連性のある単語を関連用語として記録するデータベース１０１と、デジタルコンテンツが有するページの更新をページ単位で受け付ける更新受付部１１２と、更新受付部１１２が更新を受け付けた際に、ページが含む文字情報を抽出し、該文字情報の中にデータベース１０１が記録したキーワード又は関連用語が含まれているか解析する文字情報解析部１１３と、ページが含む文字情報の中にキーワード又は関連用語が含まれていた際に、キーワード又は関連用語と関連性がある商品の購買を取り扱う第２の外部サーバ４００へページを遷移させるためのリンク情報を作成し、ページにリンク情報を埋め込むリンク情報作成部１１４とを備える。
【００６３】
また、本発明に係るデジタルコンテンツ管理システム１００は、更に、ページ上に含まれる画像情報に商品が含まれているかを解析する画像解析部１１５を備え、リンク情報作成部１１４は、画像情報に商品が含まれている際に、第２の外部サーバ４００上で取り扱う商品の画像を該画像情報に類似する画像である候補画像として抽出するものとしてもよい。
【００６４】
図６を用いてデジタルコンテンツ管理システム１００を構成する各機能について説明する。図６は、本実施形態に係るデジタルコンテンツ管理システム１００および連携するシステムのブロック図である。
【００６５】
本実施形態において、デジタルコンテンツ管理システム１００は、有線または無線のネットワーク８００を介してクライアント端末２００と、第１の外部サーバ３００と、第２の外部サーバ４００と接続している。
【００６６】
また、図６に示すように、デジタルコンテンツ管理システム１００は、デジタルコンテンツ管理部１１１と、更新受付部１１２と、文字情報解析部１１３と、リンク情報作成部１１４と、データベース１０１と、画像解析部１１５とを備えている。
【００６７】
画像解析部１１５は、画像情報の中に商品に関する情報が含まれているか解析する。リンク情報作成部１１４は、ページ内に商品に関する画像情報が含まれていた際に、第２の外部サーバ４００上に記録される商品画像を、ページ内に含まれる商品に関する画像に類似する画像として抽出する。
【００６８】
図７を用いて、画像解析部１１５の処理の流れについて説明する。文字情報解析部１１３が、更新されたページ内に含まれる文字情報を解析し、データベース１０１にあらかじめ記録されているキーワードや関連用語との照合を行う（ＳＴＥＰ１１１）。
【００６９】
照合の結果、ページ内に含まれる文字情報がデータベース１０１に記録されているものと一致した場合には、データベース１０１に登録されているＵＲＬから、そのブランドを扱っている第２の外部サーバ４００のトップ画面が表示される。
【００７０】
次に、画像解析部１１５が文字情報に対応する画像情報の特徴を解析し、リンク情報作成部１１４が、上記第２の外部サーバ４００で扱う商品群の中から、解析した画像の特徴を有する画像を候補画像として抽出する（ＳＴＥＰ１１２）。例えば、ページ内にブランド１のカバンａの画像が写っていたとする。このとき、リンク情報作成部１１４は、第２の外部サーバ４００上に記録されたブランド１のカバンａの画像およびカバンａに類似するカバンの画像を候補画像として抽出する。
【００７１】
抽出した候補画像は、第１の外部サーバ３００の運営者に対して図８に示すように一覧画面上に表示される。運営者が候補画像から、対応する画像を選択すると、該画像の用いられている商品ページへのリンク情報を、リンク情報作成部１１４が作成する（ＳＴＥＰ１１３）。
【００７２】
その他の機能、構成は、第１の実施形態と同様である。
【００７３】
［第３の実施形態］
以下、本発明の第３の実施の形態を図９乃至図１６を用いて説明する。
【００７４】
本実施形態におけるデジタルコンテンツ管理システム１００は、複数の管理者によって作成された複数のデジタルコンテンツを記録する第１の外部サーバ３００上において更新されるデジタルコンテンツを管理するデジタルコンテンツ管理部１１１と、デジタルコンテンツに記された所定の単語をキーワードとして記録し、キーワードと関連性のある単語を関連用語として記録するデータベース１０１と、デジタルコンテンツが有するページの更新をページ単位で受け付ける更新受付部１１２と、更新受付部１１２が更新を受け付けた際に、ページが含む文字情報を抽出し、該文字情報の中にデータベース１０１が記録したキーワード又は関連用語が含まれているか解析する文字情報解析部１１３と、ページが含む文字情報の中にキーワード又は関連用語が含まれていた際に、キーワード又は関連用語と関連性がある商品の購買を取り扱う第２の外部サーバ４００へページを遷移させるためのリンク情報を作成し、ページにリンク情報を埋め込むリンク情報作成部１１４とを備える。
【００７５】
また、本実施形態におけるデジタルコンテンツ管理システム１００は、更に、クライアント端末２００に、複数のカテゴリのいずれかのカテゴリに該当するデジタルコンテンツを表示させ、利用者にデジタルコンテンツの複数のカテゴリの中から、所定のカテゴリまたは所定のデジタルコンテンツの選択を可能とするソフトウェアを配布する配布部１２１と、ソフトウェアに基づき、選択されたカテゴリのカテゴリ識別番号を受信するカテゴリ受信部１２２と、受信したカテゴリ識別番号のカテゴリに属する複数のデジタルコンテンツを、ネットワーク８００を介して取得するコンテンツ取得部１２３と、取得された複数のデジタルコンテンツの概要情報および該概要情報をソフトウェアに所定の順番で表示させるための情報をクライアント端末２００に送信し、複数のデジタルコンテンツの概要情報から利用者が選択したデジタルコンテンツの選択情報に応じて、選択されたデジタルコンテンツの詳細情報をクライアント端末２００に表示させる情報送信部１２４と、選択されたカテゴリ、送信した概要情報および送信した詳細情報の少なくともいずれか１つに対応する利用者の閲覧状況を示した閲覧情報を取得し、該閲覧情報に応じてクライアント端末２００に時系列で表示させるデジタルコンテンツの概要情報を更新し、該更新された概要情報をクライアント端末２００に送信する更新処理部１２５とを備える。
【００７６】
また、本実施形態では、デジタルコンテンツ管理システム１００は、更に、カテゴリ、概要情報および詳細情報の少なくともいずれか１つに対する利用者の閲覧状況に応じて、該利用者の趣向を分析する趣向分析部１２６を備えてもよい。
【００７７】
また、本実施形態では、デジタルコンテンツ管理システム１００は、更に、表示されたデジタルコンテンツから、利用者がお気に入りタグを付与したデジタルコンテンツを、更新処理後も表示させるお気に入り管理部１２７を備えてもよい。
【００７８】
デジタルコンテンツ管理システム１００は、コンピュータまたはサーバを備え、各種入力に基づきＣＰＵがＲＯＭに記録されたプログラムを実行することで、各種機能部として動作する。該プログラムは、ＣＤ−ＲＯＭ等の記憶媒体に記憶され、もしくはインターネット等のネットワーク８００を介して配布され、コンピュータにインストールされるものであってもよい。
【００７９】
本実施形態では、デジタルコンテンツ管理システム１００は、利用者の趣向性に合致する、ブログ、ホームページ、ＥＣ（Ｅｌｅｃｔｒｏｎｉｃ Ｃｏｍｍｅｒｃｅ：電子商取引）サイト上の商品情報等のデジタルコンテンツを推奨し、提示する。デジタルコンテンツは、デジタルデータで表現された文章、音楽、画像、映像、またはそれらを組み合わせた情報の集合のことをいう。それらを再生するためのソフトウェアや、電子書籍・電子雑誌・ブログ・ホームページ等も含んでもよい。
【００８０】
ソフトウェアは、コンピュータ等の端末上で何らかの処理を行うプログラムである。クライアント端末２００上でカテゴリに分類されたデジタルコンテンツを表示するために使用される。
【００８１】
カテゴリは、デジタルコンテンツの種類である。具体的には、音声や画像といったデジタルコンテンツのファイル形式や、推理小説やエッセイのような電子書籍の種類または電子雑誌の雑誌名称のことをいってもよい。カテゴリは、カテゴリごとに振り分けられたＩＤである、カテゴリ識別番号によって管理される。
【００８２】
図９は、本実施形態におけるデジタルコンテンツ管理システム１００の構成を示すブロック図である。
【００８３】
デジタルコンテンツ管理システム１００は、デジタルコンテンツ管理部１１１と、更新受付部１１２と、文字情報解析部１１３と、リンク情報作成部１１４と、データベース１０１と、配布部１２１と、カテゴリ受信部１２２と、コンテンツ取得部１２３と、情報送信部１２４と、更新処理部１２５と、趣向分析部１２６と、お気に入り管理部１２７とコンテンツデータベース１５１とを備えている。またネットワーク８００を介して、クライアント端末２００および他システムである、第１の外部サーバ３００および第２の外部サーバ４００と連携している。
【００８４】
配布部１２１は、ソフトウェアを配布する。ダウンロード要求を送信してきた端末に対して、配布するものとしてもよい。
【００８５】
カテゴリ受信部１２２は、利用者が選択したカテゴリを受信する。カテゴリ識別番号を受信し、選択されたカテゴリを判別するものをいってもよい。
【００８６】
コンテンツ取得部１２３は、利用者が選択したデジタルコンテンツを取得する。利用者が選択したカテゴリに紐づくデジタルコンテンツを、ネットワーク８００を介して他のシステムから取得するものとしてもよい。また、コンテンツ取得部１２３は、カテゴリに紐づいた複数のデジタルコンテンツから、該デジタルコンテンツが有する利用者の趣向性を表すスコアの初期値に基づいて、クライアント端末２００に送信されるデジタルコンテンツを選択するものとしてもよい。
【００８７】
初期値は、デジタルコンテンツに対して、利用者がカテゴリを初回に選択した際に、該選択されたカテゴリに応じて与えられる値をいう。各デジタルコンテンツは、対応するカテゴリごとにそれぞれ初期値を与えられるものとしてもよい。例えば、あるデジタルコンテンツＡがカテゴリＡとは結びつきが強く、カテゴリＢとはあまり結びつきがなく、カテゴリＣとは結びつきがないとした場合を例に説明する。この場合、デジタルコンテンツＡは、選択されたカテゴリに応じて異なった初期値が与えられることになる。例えば、利用者が初回にカテゴリＡを選択した場合には、デジタルコンテンツＡは、初期値として１０を与えられる。また、利用者が初回にカテゴリＢを選択した場合には、デジタルコンテンツＡは、初期値として５を与えられ、また、カテゴリＣを選択した場合には、０が与えられる。
【００８８】
情報送信部１２４は、概要情報をクライアント端末２００に送信し、利用者が選択した概要情報の詳細情報をクライアント端末２００に表示させる。デジタルコンテンツが更新された際に、概要情報が更新日時の時系列で並ぶように送信するものとしてもよい。
【００８９】
更新処理部１２５は、更新された情報の概要情報を所定の順番で表示するよう送信する。また、更新処理部１２５は、趣向分析部１２６の分析結果に基づいて、デジタルコンテンツのスコアを更新し、時系列で表示するための概要情報を更新する際に、該更新されたスコアが所定の閾値を超過したデジタルコンテンツの概要情報を更新して送信するものとしてもよい。
【００９０】
趣向分析部１２６は、利用者の趣向を分析する。デジタルコンテンツに対する利用者の閲覧情報をもとに、趣向分析部１２６は利用者の趣向を分析するものとしてもよい。例えば、趣向分析部１２６は、利用者が詳細情報を閲覧した場合の方が概要情報しか閲覧しなかった場合より、その情報に対して趣向度が高いと分析してもよい。また、趣向分析部１２６は、利用者の閲覧時間、閲覧回数および購買履歴のうち少なくともいずれか１つを閲覧状況に関する情報として利用者の趣向を分析するものとしてもよい。
【００９１】
お気に入り管理部１２７は、更新部によって更新処理が行われた後にクライアント端末２００に表示するデジタルコンテンツを制御するものをいう。お気に入り管理部１２７は、お気に入り表示用のページを作成し、お気に入りタグが付与されたデジタルコンテンツを一覧表示させる情報を、クライアント端末２００に表示させるものとしてもよい。
【００９２】
次に、図１０を用いて本実施形態におけるデジタルコンテンツ管理システム１００に初めて利用者がアクセスした場合の処理フローを説明する。
【００９３】
まず、デジタルコンテンツ管理システム１００に接続要求をしたクライアント端末２００に対して、配布部１２１がソフトウェアを配布する（ＳＴＥＰ３１１）。ソフトウェアは、クライアント端末２００上で動作し、クライアント端末２００にデジタルコンテンツを表示する機能や、選択されたデジタルコンテンツに関する情報を収集し、デジタルコンテンツ管理システム１００に送信する機能を有する。
【００９４】
クライアント端末２００に配布されたソフトウェアがデジタルコンテンツのカテゴリを表示させる（ＳＴＥＰ３１２）。
【００９５】
図１１は、ソフトウェアがクライアント端末２００に表示させる画面を示すイメージ図である。図１１の（Ａ）はカテゴリ選択画面、（Ｂ）は概要情報表示画面、（Ｃ）は詳細情報表示画面を表している。この例では、デジタルコンテンツ管理システム１００は雑誌の名称をカテゴリとして扱っている。具体的には、雑誌名称と、雑誌モデルや特集される被服や装飾品のブランドとを紐づけてコンテンツデータベース１５１上で管理している。この雑誌モデルやブランドをソースという。そして更に、ソース（雑誌モデルやブランド）と、そのソースについて扱われているホームページや、雑誌モデルのブログ等を対応づけて記録している。コンテンツデータベース１５１では、ホームページやブログが更新される度に、更新があったことを併せて対応付けて管理しているものとしてもよい。また、コンテンツデータベース１５１には、後述する趣向分析部１２６が分析した趣向度を併せて登録してあるものとしてもよい。この対応の詳細については図１４を用いて後述する。
【００９６】
図１０において処理の続きを説明する。クライアント端末２００に表示される雑誌名称（カテゴリ）から利用者が、自分がよく読む雑誌や、興味のある雑誌を選択する（ＳＴＥＰ３１３）。利用者は、雑誌名称を複数選択できるものとしてもよい。利用者が選択した雑誌名称は、カテゴリ識別番号としてカテゴリ受付部で受け付けられる。
【００９７】
コンテンツ取得部１２３は、コンテンツデータベース１５１に、受け付けられたカテゴリ識別番号と紐づいている雑誌モデルやブランド等のホームページやブログを問い合わせる。そして、コンテンツスト取得部は、コンテンツデータベース１５１上で更新情報を確認した上で、該ホームページやブログ等のデジタルコンテンツを、ネットワーク８００を介して、ＷＥＢシステムから取得する（ＳＴＥＰ３１４）。このとき取得するコンテンツは後述する推奨処理によって選択される。
【００９８】
取得されたデジタルコンテンツから情報送信部１２４は概要情報および詳細情報を作成する。このとき、リンク情報作成部１１４は、詳細情報に含まれる文字情報を解析し、詳細情報の中にデータベースに記録されたキーワードまたは関連用語が含まれていた際には、対応する第２の外部サーバ４００へのリンク情報を詳細情報に埋め込む。
【００９９】
概要情報は、デジタルコンテンツの概要を示すものをいう。デジタルコンテンツのタイトルやトップ画面を指してもよい。例えば、ブログの概要情報の場合、図１１の（Ｂ）に示すように、更新日時・画像・タイトル・内容の１行目を指してもよい。詳細情報は、デジタルコンテンツの全文を指す。
【０１００】
図１０に戻り処理の続きを説明する。情報送信部１２４は、作成した概要情報を、デジタルコンテンツの更新日時に沿って時系列で表示されるようにクライアント端末２００に送信する（ＳＴＥＰ３１５）。また、このとき作成された概要情報は、コンテンツデータベース１５１上で元のデジタルコンテンツと対応付けて管理される。
【０１０１】
利用者は図１１の（Ｂ）に示される概要情報から、見たいデジタルコンテンツを選択する（ＳＴＥＰ３１６）。利用者が選択した概要情報は、選択情報として、デジタルコンテンツ管理システム１００に送信され、情報送信部１２４によって受け付けられる。選択情報に基づいて、情報送信部１２４は、概要情報と紐づくデジタルコンテンツの内容を詳細情報として、クライアント端末２００に表示させる（ＳＴＥＰ３１７）。
【０１０２】
図１１の（Ｃ）は、クライアント端末２００上に表示された詳細情報である。図１１の（Ｃ１）はスキボタンを示している。スキボタンは、利用者が気に入ったデジタルコンテンツをブックマークしておく機能を備えている。スキボタンを押されたデジタルコンテンツは、お気に入り管理部１２７によって、お気に入りタグが付与される。お気に入りタグは、利用者によって、デジタルコンテンツに対して付与される付帯情報をいう。お気に入りタグはクライアント端末２００上で管理される。デジタルコンテンツ管理システム１００側で受信し、管理するものとしてもよい。
【０１０３】
図１１の（Ｂ）の（Ｂ１）は、お気に入り管理部１２７によって管理されているブックマークへのリンクを示している。（Ｂ１）が押下されると、図１２の（Ｄ１）に示す画面に遷移する。
【０１０４】
また、図１１（Ｃ）の（Ｃ１）には、第１の外部サーバ３００の更に詳細な情報を表示する画面へのリンクが貼られている。利用者は、図の（Ｃ）の（Ｃ１）を押下することで、図１２の（Ｄ３）に示すような、さらに詳細な画面を表示させることも可能である。
【０１０５】
また、図１１（Ｃ）の（Ｃ３）は、コメント送信画面へ遷移するためのボタンである。利用者は、図の（Ｃ）の（Ｃ３）を押下することで、図１２の（Ｄ２）に示すような、コメント送信画面を表示させることも可能である。
【０１０６】
図１０に戻り、フローの続きを説明する。更新処理部１２５は、コンテンツデータベース１５１を監視し、デジタルコンテンツが更新された場合（ＳＴＥＰ３１８：ＹＥＳ）、更新したデジタルコンテンツを情報送信部１２４に通知する。通知を受けた情報送信部１２４は、デジタルコンテンツの更新日時に合わせて時系列の表示になるように、概要情報をクライアント端末２００に再度送信する。
【０１０７】
図１３は、デジタルコンテンツ管理システム１００の推奨処理のフローを示すチャートである。ソフトウェアに表示された雑誌名から利用者が雑誌名称（カテゴリ）を選択する（ＳＴＥＰ４０１）。選択されたカテゴリに応じて、趣向分析部１２６は、コンテンツデータベース１５１上で紐づいているデジタルコンテンツに初期値を付与する（ＳＴＥＰ４０２）。
【０１０８】
図１４は、コンテンツデータベース１５１上でカテゴリ、概要情報、詳細情報が紐づけられて管理されている様子を模式的に示した図である。コンテンツデータベース１５１上では、カテゴリである雑誌名は、ソース（雑誌モデル、ブランド等）、デジタルコンテンツと対応付けられている。雑誌とソースとの結びつきには重みづけが与えられている。初期値は、雑誌とソースとの結びつきの度合いに応じて与えられる。
【０１０９】
具体的には、例えばソースＡをモデル１、ソースＢをブランド１、ソースＣをブランド２、ソースＤをモデル２として説明する。また、モデル１は雑誌Ｄの専属モデルをしている。雑誌Ｄおよび雑誌Ａは姉妹関係にあるため、モデル１は雑誌Ａでもよく登場している。また、モデル２は、雑誌Ｂの専属モデルである。更に、ブランド１は、雑誌Ａ、ＢおよびＤでよく取り上げられるブランドであり、ブランド２は雑誌Ｃ、Ｄで取り上げられることが多い。
【０１１０】
このような関係にある場合、雑誌と各ソースとの対応関係は図１４に示すような重みづけが与えられている。まず、モデル１（ソースＡ）は雑誌Ａ、Ｄと対応関係があり、かつ雑誌Ｄの専属モデルであるため、雑誌Ｄとの対応関係の重みづけが高くなっている。同様に、モデル２（ソースＤ）は、雑誌Ｂにしか登場しないので、他の雑誌との対応関係はない。ブランド１、２についても同様に、掲載される雑誌と対応関係を持ち、出現頻度が高い方が、重みづけが高くなる。
【０１１１】
図１５は、図１３のＳＴＥＰ４０２で、利用者が雑誌Ａおよび雑誌Ｂを選択した場合の様子を示している。雑誌Ａおよび雑誌ＢにはソースＡ、ＢおよびＣが結びついているため、デジタルコンテンツＡ−１、Ａ−２、Ｂ−１、Ｂ−２、Ｄ−１、Ｄ−２、Ｄ−３がコンテンツ取得部１２３によって取得されることになる。利用者が初回にカテゴリを選択すると、コンテンツデータベース１５１上では、図１６に示すように利用者は、各ソースと直接結びつけられて記録されることになる。
【０１１２】
図１３に戻り、推奨処理の続きを説明する。趣向分析部１２６は、選択されたカテゴリとカテゴリに紐づくソースの重みづけに応じて、初期値に加点・減点処理を行う。具体的には、利用者に選択されたカテゴリである、雑誌Ａおよび雑誌Ｂに結びついているソースＡ、ＢおよびＣは加点がなされる。特に、例えば、雑誌Ａとの関係において、重みづけが高いソースＡは、ソースＢより高い点数が加点される。一方で、雑誌Ｃおよび雑誌Ｄは選択されなかったので、雑誌Ｃとしか結びついていなかったソースＣには加点処理はなされない。
【０１１３】
情報送信部１２４は、取得されたデジタルコンテンツのうち、スコアが所定の閾値を超過しているソースに紐づいているデジタルコンテンツの概要情報を送信する（ＳＴＥＰ４０３）。クライアント端末２００上に表示された概要情報から利用者は見たいものを選択する（ＳＴＥＰ４０４）。概要情報が選択されると、趣向分析部１２６は、選択された概要情報に応じて対応するソースに加点・減点処理を行う（ＳＴＥＰ４０５）。この加点・減点処理は、選択された概要情報だけでなく、利用者の閲覧状況全般に応じて行われるものであってもよい。
【０１１４】
図１６は、利用者がソースＡ、Ｂをよく読み、ソースＤをあまり読まなかった場合のスコアの変動を示した図である。趣向分析部１２６は、利用者の各ソースに対する閲覧情報に応じてスコアを変動させていく。閲覧情報は、特定のデジタルコンテンツに対する利用者の閲覧状況を示すものをいう。閲覧状況は、利用者の閲覧時間、閲覧回数等を指してもよい。また、デジタルコンテンツに関する商品を購入した場合、購入履歴を閲覧情報としてもよい。趣向分析部１２６がスコアを変動させた結果、閾値以下になったソース（図１６においてはソースＤ）に紐づくデジタルコンテンツは配信されなくなる。
【０１１５】
また、ソースのスコアの変動は、各ソースの関連度に応じてされてもよい。例えば、ソースＢとソースＣの関連度が高い場合、ソースＢのスコアが上がることで連動してソースＣのスコアが上がり、閾値を超過した場合、ソースＣに紐づくデジタルコンテンツも配信されるようになる。
【０１１６】
図１３に戻り処理の続きを説明する。デジタルコンテンツが更新された場合（ＳＴＥＰ４０７：ＹＥＳ）、更新処理部１２５は、スコアが閾値を超過しているデジタルコンテンツの概要情報を時系列で再度送信する。
【０１１７】
その他の構成、機能については第１の実施形態または第２の実施形態と同様である。
【０１１８】
本実施形態に係るデジタルコンテンツ管理システム１００は、複数の管理者によって作成された複数のデジタルコンテンツを記録する第１の外部サーバ３００上において更新されるデジタルコンテンツを管理し、ページが含む文字情報の中にキーワード又は関連用語が含まれていた際に、キーワード又は関連用語と関連性がある商品の購買を取り扱う第２の外部サーバ４００へページを遷移させるためのリンク情報を作成し、ページにリンク情報を埋め込むリンク情報作成部１１４とを備える際には、管理者がデジタルコンテンツを更新する際に、デジタルコンテンツの内容に応じて適切な外部サーバへのリンク情報を生成することが可能となり、複数の管理者によって更新されるブログ等のデジタルコンテンツを扱うＷＥＢサイトを運営する場合でも、各デジタルコンテンツの管理者がリンク付を行う必要がなく、運営者側の負担を低減することが可能となる。
【０１１９】
また、本実施形態に係るデジタルコンテンツ管理システム１００は、更に、ページ上に含まれる画像情報に商品が含まれているかを解析する画像解析部１１５を備え、リンク情報作成部１１４は、画像情報に商品が含まれている際に、第２の外部サーバ４００上で取り扱う商品の画像を該画像情報に類似する画像である候補画像として抽出する際においては、画像情報に含まれる、画像情報の商品を解析し、該ブランドを取り扱う外部サーバ（例えばＥＣサイト等）を特定し、問い合わせを行うことが可能となり、画像情報の特徴から、商品の候補画像を抽出することが可能となる。
【０１２０】
また、本実施形態に係るデータベース１０１が、キーワードの略称、俗称または通称を関連用語として記録する際においては、デジタルコンテンツ内にブランド名等の略称等が含まれた場合でも、リンクするＥＣサイトを適切に選択することが可能となる。
【０１２１】
［その他の実施形態］
以上、本発明の実施形態について述べたが、本発明は既述の実施形態に限定されるものではなく、本発明の技術的思想に基づいて各種の変形および変更が可能である。例えば、画像解析部１１５は、第２の外部サーバ４００から候補画像を抽出するように構成されているが、これに限定されない。例えば、画像解析部１１５はあらかじめデータベース１０１に登録しておいた商品画像の中から類似する候補画像を検索するものとしてもよい。
【０１２２】
また、第１の実施形態において、利用者はデジタルコンテンツ管理システム１００を利用するためにソフトウェアを利用する構成となっているが、これに限定されない。利用者はソフトウェアを利用せず、クライアント端末２００のブラウザから直接デジタルコンテンツ管理システム１００に接続する構成としてもよい。
【０１２３】
さらに、第１の実施形態において、利用者はデジタルコンテンツ管理システム１００を利用するために必要なソフトウェアを、このデジタルコンテンツ管理システム１００からダウンロードする構成となっているが、これに限定されるものではなく、アプリケーションを配布するための外部システムからダウンロードする構成としてもよい。
【０１２４】
また、第１の実施形態において、利用者へのデジタルコンテンツの配信をデジタルコンテンツ管理部１１１が行っているが、第１の外部サーバ上にコンテンツ配信部を設ける構成としてもよい。この場合、デジタルコンテンツ管理システム１００は、リンク情報を埋め込んだデジタルコンテンツを第１の外部サーバに提供し、利用者は、この第１の外部サーバにアクセスすることでデジタルコンテンツを閲覧するものとしてもよい。
【符号の説明】
【０１２５】
１００            デジタルコンテンツ管理システム
１０１            データベース
１１１            デジタルコンテンツ管理部
１１２            更新受付部
１１３            文字情報解析部
１１４            リンク情報作成部
１１５            画像解析部
１２１            配布部
１２２            カテゴリ受信部
１２３            コンテンツ取得部
１２４            情報送信部
１２５            更新処理部
１２６            趣向分析部
１２７            お気に入り管理部
１５１            コンテンツデータベース
２００            クライアント端末
２５１            画面表示部
２５２            アクセス要求部
２５３            指示部
３００            第１の外部サーバ
４００            第２の外部サーバ
８００            ネットワーク
【図１】
2014157403.tif 000003
【図２】
2014157403.tif 000004
【図３】
2014157403.tif 000005
【図４】
2014157403.tif 000006
【図５】
2014157403.tif 000007
【図６】
2014157403.tif 000008
【図７】
2014157403.tif 000009
【図８】
2014157403.tif 000010
【図９】
2014157403.tif 000011
【図１０】
2014157403.tif 000012
【図１１】
2014157403.tif 000013
【図１２】
2014157403.tif 000014
【図１３】
2014157403.tif 000015
【図１４】
2014157403.tif 000016
【図１５】
2014157403.tif 000017
【図１６】
2014157403.tif 000018
【図１７】
2014157403.tif 000019